(57)【要約】      （修正有）【課題】シングルタッチ又はマルチタッチの機能を得ることができるタッチテーブル構造を提供する。【解決手段】タッチテーブル構造１０は、タッチテーブルトップ１０１を含むテーブル本体を備える。テーブル本体は、複数の側面上に設けられた複数のサイドパネル１０２２１，１０２２２と、少なくとも１つの側面上に設けられた少なくとも１つの引き戸１０２２と、底面に配置された底板１０２３とを有する。底板１０２３上には、プロジェクタ１０２７、光源及び映像音声入出力インタフェースが配置されている。プロジェクタ１０２７は、映像音声入出力インタフェースと電気的に接続され、光源と光学的に接続される。光源から出射された可視光及び赤外光は、プロジェクタ１０２７によりタッチテーブルトップ１０１へ均一に投射される。プロジェクタ１０２７は、タッチテーブルトップ１０１の方向に向けられる。【選択図】図３
0003168611.tif 000002
【実用新案登録請求の範囲】
【請求項１】
タッチテーブルトップを含むテーブル本体を備えるタッチテーブル構造であって、
前記テーブル本体は、複数の側面上に設けられた複数のサイドパネルと、少なくとも１つの側面上に設けられた少なくとも１つの引き戸と、底面に配置された底板と、を有し、
前記底板上には、プロジェクタ、光源及び映像音声入出力インタフェースが配置され、
前記プロジェクタは、前記映像音声入出力インタフェースと電気的に接続され、前記光源と光学的に接続され、
前記光源から出射された可視光及び赤外光は、前記プロジェクタにより前記タッチテーブルトップへ均一に投射され、
前記プロジェクタは、前記タッチテーブルトップに対して位置合わせされることを特徴とするタッチテーブル構造。
【請求項２】
前記引き戸は、上引き戸、上ドアパネル、下ドアパネル及び可動ブラケットを含み、
前記タッチテーブルトップは、支持フレーム、薄膜及び強化ガラスを含むことを特徴とする請求項１に記載のタッチテーブル構造。
【請求項３】
前記テーブル本体は、前記下ドアパネルに隣接した箇所に配置された複数の隔板を内部に有し、
前記複数の隔板は、前記底板及び前記下ドアパネルとともに、複数の収納空間を形成し、
前記複数の収納空間には、複数の区画が設けられ、
前記下ドアパネルの下縁が前記可動ブラケットの端部に接続され、
前記下ドアパネルは、前記可動ブラケットにより開放位置と閉鎖位置との間で摺動することを特徴とする請求項２に記載のタッチテーブル構造。
【請求項４】
前記複数の区画は、複数の木製区画又は金属製区画を含むことを特徴とする請求項３に記載のタッチテーブル構造。
【請求項５】
前記テーブル本体は、底面に配置された複数のキャスタを有することを特徴とする請求項１に記載のタッチテーブル構造。
【考案の詳細な説明】
【技術分野】
【０００１】
本考案は、タッチコントロール技術に関し、特に、タッチテーブル構造（ｔｏｕｃｈ  ｔａｂｌｅ  ｓｔｒｕｃｔｕｒｅ）に関する。
【背景技術】
【０００２】
現在、タッチスクリーン技術が急速に発展している。例えば、キーボード、マウスなどの従来の入力装置は、様々なシングルタッチ又はマルチタッチのタッチスクリーン（例えば、抵抗式タッチスクリーン、容量式タッチスクリーン、光学式タッチスクリーン、電磁式タッチスクリーン、表面弾性波方式タッチスクリーン）により代替されている。このタッチスクリーンは、消費者にとって全く新しいコンピュータの操作方式であり、従来のようにキーボードで文字を入力したり、マウスでカーソルを制御したりしなくとも、ユーザは指を使うことでパーソナルコンピュータの操作を全面的に行うことができる。
【０００３】
しかし、従来のタッチスクリーンは、スクリーンが小さいため、１人だけでしか使用することができず、多人数で同時に使用したり見たりすることができなかった。そのため、近年、リアルタイムで通信したり、多人数の授業で利用したりすることができるテーブルトップ面に埋設されたタッチスクリーンが開発されている。しかし、従来のタッチスクリーンは、高精密機器であり、液体、埃、圧力、外力、衝撃などの外的要素により悪影響を受けるおそれがある上、脆性材料からなるため、外力によりパネルが損壊し易かった。そのため、従来のテーブルトップ面に埋設されたタッチスクリーンは、水分、埃、衝撃、圧力から保護することができなかった。さらに、従来のテーブルトップ面又はテーブルに埋設されたタッチスクリーンには、収納空間が設けられていないため、テーブルトップ面又はテーブルに埋設されたタッチスクリーンを作動させる信号源（例えば、コンピュータ本体など）が、テーブルトップ面に直接設置されたり、テーブルの外部に設置されたりしなければならず、使用が不便で、空間が占有されるなどの問題がある。
【０００４】
そのため、従来のテーブルトップ面又はテーブルに埋設されたタッチスクリーンが有する問題を解決することができるタッチテーブル構造が求められていた。
【考案の概要】
【考案が解決しようとする課題】
【０００５】
本考案の第１の目的は、コンピュータ本体などの大型の物品又は小型の物品を置くために用いるサイズが異なる収納空間を有するタッチテーブル構造を提供することにある。
本考案の第２の目的は、上引き戸などの引き戸を収納空間の開閉に用い、収納空間の開閉に必要な占有空間を減らすタッチテーブル構造を提供することにある。
本考案の第３の目的は、タッチテーブルトップにおいて、可視光で形成された画像を見ながら、ユーザが指又は物品を用いてタッチテーブルトップに触ることにより、シングルタッチ又はマルチタッチの機能を得ることができるタッチテーブル構造を提供することにある。
本考案の第４の目的は、映像音声入出力インタフェースにより、コンピュータ本体などの信号源と接続し、タッチテーブルトップにより映像を出力し、スピーカにより音声を出力し、様々なマルチメディアコンテンツを再生するタッチテーブル構造を提供することにある。
本考案の第５の目的は、タッチテーブルトップ内の薄膜が埃、液体、外力又は圧力により損壊することを防ぐことができるタッチテーブル構造を提供することにある。
本考案の第６の目的は、収納空間内に配置したコンピュータ本体は、ユーザ自らが引き戸を開いて取り出すことができるため、必要に応じてコンピュータ本体内のハードウェアの構成を変えることができるタッチテーブル構造を提供することにある。
本考案の第７の目的は、引き戸を開くだけで収納空間内に配置したコンピュータ本体を露出させることができるため、ユーザは、露出されたコンピュータ本体の光ディスク装置又は接続ポートにより、様々なアプリケーションソフトを自在にインストールすることができるタッチテーブル構造を提供することにある。
本考案の第８の目的は、一方の側部の収納空間にコンピュータ本体を置き、他方の側部の収納空間に、書籍、カップなどの小型の物品を置くことができるタッチテーブル構造を提供することにある。
本考案の第９の目的は、タッチテーブルトップが強化ガラスからなるため、防塵・防水機能を有し、レストラン、バーなどの飲食物の提供を行う場所でも使用することができるタッチテーブル構造を提供することにある。
【課題を解決するための手段】
【０００６】
上記課題を解決するために、本発明はタッチテーブル構造を提供する。
【０００７】
本考案の第１の形態によれば、タッチテーブルトップを含むテーブル本体を備えるタッチテーブル構造であって、前記テーブル本体は、複数の側面上に設けられた複数のサイドパネルと、少なくとも１つの側面上に設けられた少なくとも１つの引き戸と、底面に配置された底板と、を有し、前記底板上には、プロジェクタ、光源及び映像音声入出力インタフェースが配置され、前記プロジェクタは、前記映像音声入出力インタフェースと電気的に接続され、前記光源と光学的に接続され、前記光源から出射された可視光及び赤外光は、前記プロジェクタにより前記タッチテーブルトップへ均一に投射され、複数のキャスタが前記テーブル本体の前記底面上に配置されており、前記プロジェクタは、前記タッチテーブルトップに対して位置合わせされることを特徴とするタッチテーブル構造が開示されている。
【０００８】
前記引き戸は、上引き戸、上ドアパネル、下ドアパネル及び可動ブラケットを含み、前記タッチテーブルトップは、支持フレーム、薄膜及び強化ガラスを含むことが好ましい。
【０００９】
前記テーブル本体は、前記下ドアパネルに隣接した箇所に配置された複数の隔板を内部に有し、前記複数の隔板は、前記底板及び前記下ドアパネルとともに、複数の収納空間を形成し、前記複数の収納空間には、複数の区画が設けられ、前記下ドアパネルの下縁が前記可動ブラケットの端部に接続され、前記下ドアパネルは、前記可動ブラケットにより開放位置と閉鎖位置との間で摺動することが好ましい。
【００１０】
前記複数の区画は、複数の木製区画又は金属製区画を含むことが好ましい。
【００１１】
前記テーブル本体は、底面に配置された複数のキャスタを有することが好ましい。
【考案の効果】
【００１２】
本考案のタッチテーブル構造は、以下（１）〜（９）の効果を有する。
（１）コンピュータ本体などの大型の物品又は小型の物品を置くために用いるサイズが異なる収納空間を有する。
（２）上引き戸などの引き戸を収納空間の開閉に用い、収納空間の開閉に必要な占有空間を減らすことができる。
（３）タッチテーブルトップにおいて、可視光で形成された画像を見ながら、ユーザが指又は物品を用いてタッチテーブルトップに触ることにより、シングルタッチ又はマルチタッチの機能を得ることができる。
（４）映像音声入出力インタフェースにより、コンピュータ本体などの信号源と接続し、タッチテーブルトップにより映像を出力し、スピーカにより音声を出力し、様々なマルチメディアコンテンツを再生する。
（５）タッチテーブルトップ内の薄膜が埃、液体、外力又は圧力により損壊することを防ぐことができる。
（６）収納空間内に配置したコンピュータ本体は、ユーザ自らが引き戸を開いて取り出すことができるため、必要に応じてコンピュータ本体内のハードウェアの構成を変えることができる。
（７）引き戸を開くだけで収納空間内に配置したコンピュータ本体を露出させることができるため、ユーザは、露出されたコンピュータ本体の光ディスク装置又は接続ポートにより、様々なアプリケーションソフトを自在にインストールすることができる。
（８）一方の側部の収納空間にコンピュータ本体を置き、他方の側部の収納空間に書籍、カップなどの小型の物品を置くことができる
（９）タッチテーブルトップが強化ガラスからなるため、防塵・防水機能を有し、レストラン、バーなどの飲食物の提供を行う場所で使用することができる。
【図面の簡単な説明】
【００１３】
【図１】本考案の一実施形態によるタッチテーブル構造を示す斜視図である。
【図２】本考案の一実施形態によるタッチテーブル構造のタッチテーブルトップを示す分解斜視図である。
【図３】本考案の一実施形態によるタッチテーブル構造を示す透視図である。
【図４】本考案の一実施形態によるタッチテーブル構造を示す透視図である。
【図５】本考案の一実施形態によるタッチテーブル構造の収納空間を示す斜視図である。
【図６】本考案の一実施形態によるタッチテーブル構造の収納空間を示す斜視図である。
【考案を実施するための形態】
【００１４】
以下、本考案の実施形態について図に基づいて説明する。なお、これによって本考案が限定されるものではない。
【００１５】
図１を参照する。図１に示すように、本考案の一実施形態によるタッチテーブル構造１０は、タッチテーブルトップ１０１を有するテーブル本体１０２と、複数（例えば、４つ）のキャスタ１０４と、を備える。タッチテーブルトップ１０１は、テーブル本体１０２上に配置されている。キャスタ１０４は、テーブル本体１０２の底面の四隅に配置されている。図１に示すように、テーブル本体１０２は、複数（例えば、２つ）のサイドパネル１０２１と、少なくとも１つ（例えば、２つ）の引き戸と、を有する。前述の複数のサイドパネル１０２１は、テーブル本体１０２の複数の側面上に設けられ、前述の少なくとも１つの引き戸は、テーブル本体１０２の少なくとも１つの側面上に設けられている。前述の引き戸は、本実施形態では上引き戸１０２２である。図１に示すように、本実施形態において、サイドパネル１０２１は、テーブル本体１０２の２つの側面上に互いに対向するように設けられ、上引き戸１０２２は、テーブル本体１０２の残りの２つの側面上に互いに対向するように設けられてもよい。
【００１６】
図２を参照する。図２に示すように、本考案の一実施形態によるタッチテーブルトップ１０１は、強化ガラス１０１１、薄膜１０１２及び支持フレーム１０１３を有する。強化ガラス１０１１は、透明である表示部１０１１ａと、透明又は非透明である非表示部１０１１ｂと、を含む。薄膜１０１２は、光を均一化する拡散フィルムでもよい。薄膜１０１２は、強化ガラス１０１１の表示部１０１１ａの底面へ接着させ、投影スクリーンを形成し、以下で述べるプロジェクタから投射される可視光又は赤外光を均一化させる。支持フレーム１０１３は、強化ガラス１０１１の非表示部１０１１ｂの底面に接着させ、強化ガラス１０１１を支持するために用いる。本実施形態の薄膜１０１２は、強化ガラス１０１１と一体成形されて隙間及び孔が無いため、埃、液体、外力又は圧力により損壊することを防ぐことができる。
【００１７】
図３を参照する。図３に示すように、上引き戸１０２２は、上ドアパネル１０２２１、下ドアパネル１０２２２及び可動ブラケット１０２２３を有する。上ドアパネル１０２２１が固定され、下ドアパネル１０２２２の下縁が可動ブラケット１０２２３の端部に接続され、可動ブラケット１０２２３の下ドアパネル１０２２２を開放位置（図３参照）と閉鎖位置（図１参照）との間で摺動させることができる。図３に示すように、テーブル本体１０２は、底面に配置された底板１０２３と、上引き戸１０２２の下ドアパネル１０２２２に隣接した箇所に配置され、内部に設けられた複数（例えば、２つ）の隔板１０２４と、を有する。本実施形態では、複数（例えば、２つ）の隔板１０２４が、底板１０２３及び下ドアパネル１０２２２とともに、物品を置くために用いる複数の収納空間（即ち、第１の収納空間１０２５及び第２の収納空間１０２６）が形成されている。第１の収納空間１０２５及び第２の収納空間１０２６には、複数の区画（例えば、複数の木製区画又は金属製区画）が設けられてもよい。金属製区画は、鉄製区画又はステンレス製区画でもよい。図５に示すように、本実施形態の第１の収納空間１０２５には、コンピュータ本体を置いてもよい。図６に示すように、本実施形態の第２の収納空間１０２６には、書籍、キーボード、マウス、コップなどの小型の物品を置くことができるように３つの区画が設けられている。
【００１８】
図３及び図４を参照する。図３及び図４に示すように、底板１０２３上には、プロジェクタ１０２７、導風管１０２８、ファン１０３０、映像音声入出力インタフェース（ｖｉｄｅｏ  ａｎｄ  ａｕｄｉｏ  ｉｎｐｕｔ  ａｎｄ  ｏｕｔｐｕｔ  ｉｎｔｅｒｆａｃｅ）１０３１、電源供給装置１０３２及び光源１０３３が配置されている。上ドアパネル１０２２１の内側には、スピーカ１０２９が配置されている。プロジェクタ１０２７は、映像音声入出力インタフェース１０３１及び電源供給装置１０３２と電気的に接続され、光源１０３３と光学的に接続されている。電源供給装置１０３２は、プロジェクタ１０２７、スピーカ１０２９、ファン１０３０、映像音声入出力インタフェース１０３１及び光源１０３３と電気的に接続されている。映像音声入出力インタフェース１０３１は、プロジェクタ１０２７、スピーカ１０２９及び電源供給装置１０３２と電気的に接続されている。
【００１９】
光源１０３３から出射された可視光及び赤外光は、プロジェクタ１０２７によりタッチテーブルトップ１０１へ均一に投射される。これにより、ユーザは、指又は物品（例えば、形状が指に類似した物品）を用いてタッチテーブルトップ１０１に触り、プロジェクタ１０２７から投射された赤外光の反射を赤外線カメラ（図示せず）により検出し、位置決めモジュール（図示せず）により位置を検出し、シングルタッチ又はマルチタッチの機能を得る。導風管１０２８及びファン１０３０は、プロジェクタ１０２７、映像音声入出力インタフェース１０３１及び光源１０３３から発生した熱を放熱したり、テーブル中の通風を保持したりするために用いる。
【００２０】
映像音声入出力インタフェース１０３１は、例えば、コンピュータ本体などの信号源から映像音声信号を受け取り、プロジェクタ１０２７及びスピーカ１０２９へ送る。図４に示すように、映像音声入出力インタフェース１０３１の隔板１０２４に埋設された部分は、複数の映像音声入出力端子を有し、映像音声入出力端子を介してコンピュータ本体などの信号源に接続されている。電源供給装置１０３２は、プロジェクタ１０２７、スピーカ１０２９、ファン１０３０、映像音声入出力インタフェース１０３１及び光源１０３３へ電力を供給するために用いる。図４に示すように、上ドアパネル１０２２１上には、スピーカ１０２９に対応した位置に、スピーカ１０２９の音声を外部へ伝えるために、複数の貫通孔（例えば、横貫通孔）１０３４が設けられている。図６に示すように、サイドパネル１０２１のうちの１つには、ファン１０３０に対応した位置に、ファン１０３０により熱を外部へ排出するために用いる複数の貫通孔（例えば、縦貫通孔）１０３５が設けられている。
【００２１】
上述したことから分かるように、本考案のタッチテーブル構造は、（１）〜（７）の長所を有する。
（１）コンピュータ本体などの大型の物品又は書籍、カップなどの小型の物品を置くために用いるサイズが異なる収納空間を有する。
（２）収納空間内に配置したコンピュータ本体は、ユーザ自らが引き戸を開いて取り出すことができるため、必要に応じてコンピュータ本体内のハードウェアの構成を変えることができる。
（３）引き戸を開くだけで収納空間に配置したコンピュータ本体を露出させることができるため、ユーザは、露出されたコンピュータ本体の光ディスク装置又は接続ポートにより、様々なアプリケーションソフトをインストールすることができる。
（４）タッチテーブルトップが強化ガラスからなるため、防塵・防水機能を有し、レストラン、バーなどの飲食物の提供を行う場所で使用することができる。
（５）収納空間内に配置したコンピュータ本体は、上引き戸などの引き戸を収納空間の開閉に用い、収納空間を開閉するときの占有空間を減らすことができる。
（６）タッチテーブルトップにおいて、ユーザは可視光で形成された画像を見ながら、指又は物品でタッチテーブルトップに触り、シングルタッチ又はマルチタッチの機能を得ることができる。
（７）映像音声入出力インタフェースにより、コンピュータ本体などの信号源と接続し、タッチテーブルトップにより映像を出力し、スピーカにより音声を出力し、様々なマルチメディアコンテンツを再生させることができる。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１０  タッチテーブル構造
１０１  タッチテーブルトップ
１０２  テーブル本体
１０４  キャスタ
１０１１  強化ガラス
１０１１ａ  表示部
１０１１ｂ  非表示部
１０１２  薄膜
１０１３  支持フレーム
１０２１  サイドパネル
１０２２  上引き戸
１０２３  底板
１０２４  隔板
１０２５  第１の収納空間
１０２６  第２の収納空間
１０２７  プロジェクタ
１０２８  導風管
１０２９  スピーカ
１０３０  ファン
１０３１  映像音声入出力インタフェース
１０３２  電源供給装置
１０３３  光源
１０３４  貫通孔
１０３５  貫通孔
１０２２１  上ドアパネル
１０２２２  下ドアパネル
１０２２３  可動ブラケット
【図１】
0003168611.tif 000003
【図２】
0003168611.tif 000004
【図３】
0003168611.tif 000005
【図４】
0003168611.tif 000006
【図５】
0003168611.tif 000007
【図６】
0003168611.tif 000008
【手続補正書】
【提出日】平成23年4月7日(2011.4.7)
【手続補正１】
【補正対象書類名】実用新案登録請求の範囲
【補正対象項目名】全文
【補正方法】変更
【補正の内容】
【実用新案登録請求の範囲】
【請求項１】
タッチテーブルトップを含むテーブル本体を備えるタッチテーブル構造であって、
前記テーブル本体は、複数の側面上に設けられた複数のサイドパネルと、少なくとも１つの側面上に設けられた少なくとも１つの引き戸と、底面に配置された底板と、を有し、
前記底板上には、プロジェクタ、光源及び映像音声入出力インタフェースが配置され、
前記プロジェクタは、前記映像音声入出力インタフェースと電気的に接続され、前記光源と光学的に接続され、
前記光源から出射された可視光及び赤外光は、前記プロジェクタにより前記タッチテーブルトップへ均一に投射され、
前記プロジェクタは、前記タッチテーブルトップの方向に向けられることを特徴とするタッチテーブル構造。
【請求項２】
前記引き戸は、上引き戸、上ドアパネル、下ドアパネル及び可動ブラケットを含み、
前記タッチテーブルトップは、支持フレーム、薄膜及び強化ガラスを含むことを特徴とする請求項１に記載のタッチテーブル構造。
【請求項３】
前記テーブル本体は、前記下ドアパネルに隣接した箇所に配置された複数の隔板を内部に有し、
前記複数の隔板は、前記底板及び前記下ドアパネルとともに、複数の収納空間を形成し、
前記複数の収納空間には、複数の区画が設けられ、
前記下ドアパネルの下縁が前記可動ブラケットの端部に接続され、
前記下ドアパネルは、前記可動ブラケットにより開放位置と閉鎖位置との間で摺動することを特徴とする請求項２に記載のタッチテーブル構造。
【請求項４】
前記複数の区画は、複数の木製区画又は金属製区画を含むことを特徴とする請求項３に記載のタッチテーブル構造。
【請求項５】
前記テーブル本体は、底面に配置された複数のキャスタを有することを特徴とする請求項１に記載のタッチテーブル構造。